(57)【要約】【課題】一回の動作で広範囲に内容物の塗布を可能とするとともに、携帯に便利な使い勝手のよい塗布栓を提案する。【解決手段】容器に通じる開口を有しその口部に固定保持されるベースキャップと、ベースキャップの開口を通して流出させた内容物を染み込ませてそれを直接塗布面に接触させて内容物を塗布する塗布ヘッドと、この塗布ヘッドに覆い被さり、ベースキャップに着脱自在に係合保持されるカバーキャップとを有する塗布栓において、前記ベースキャップに、ベースキャップの開口につながる経路を有し該ベースキャップ上での回動にて該経路の開通と閉鎖を行う塗布ヘッド保持用の中栓を配置し、この中栓に、経路につながりその底壁面の少なくとも二箇所より内容物を分散、流出させて塗布ヘッドの全域に内容物をまんべんなく送給する流出口を設ける。【選択図】        図１
2004168391.tif 000002
【特許請求の範囲】
【請求項１】
容器に通じる開口を有しその口部に固定保持されるベースキャップと、ベースキャップの開口を通して流出させた内容物を染み込ませてそれを直接塗布面に接触させて内容物を塗布する塗布ヘッドと、この塗布ヘッドに覆い被さりベースキャップに着脱自在に係合保持されるカバーキャップとを有する塗布栓であって、
前記ベースキャップに、ベースキャップの開口につながる経路を有し該ベースキャップ上での回動にて該経路の開閉を行う塗布ヘッド保持用の中栓を配置し、この中栓に、経路につながりその底壁面の少なくとも二箇所より内容物を分散、流出させて塗布ヘッドの全域に内容物をまんべんなく送給する流出口を設け、
前記ベースキャップ、塗布ヘッド及び中栓は、楕円状の平面形状になることを特徴とする塗布栓。
【請求項２】
経路の開閉状態を表示する表示手段を有する請求項１記載の塗布栓。
【請求項３】
経路の開閉時に、中栓のベースキャップに対する位置決めを行うストッパーを有する請求項１又は２記載の塗布栓。
【発明の詳細な説明】
【０００１】
【発明の属する技術分野】
本発明は、フェルトやスポンジ、焼結体等からなる塗布ヘッドに容器内の内容物を染み込ませて塗布するのに好適な塗布栓に関するものであり、一回で塗布できる面積を拡大するとともに、使い勝手のより一層の改善を図ろうとするものである。
【０００２】
【従来の技術】
虫よけ用の薬剤や靴墨、ガラスの曇り止め液等を充填した容器としては、その口部にフェルト等の塗布ヘッドを組み込んだ塗布栓が装着されたものがあり、容器の胴部をスクイズすることによって容器内の液体を塗布ヘッドに染み込ませるようになっている。
【０００３】
ところで、この種の塗布栓は、円形の平面形状を有するのが普通（例えば、特許文献１参照）であって、一回で塗布できる面積の拡大を図るべく、その径を大きくした場合に、塗布栓のサイズの大型化を招くのが避けられないので使い勝手が悪くなり、また、容器そのものを携帯するような場合においてはかさばることも懸念され携帯には不向きになるという問題があった。
【０００４】
【特許文献１】
特開平９−２０７９５２号公報。
【０００５】
【発明が解決しようとする課題】
本発明の課題は、一回の動作で広範囲にわたって内容物を塗布でき、しかも、携帯にもとくに不都合のない新規な塗布栓を提案するところにある。
【０００６】
【課題を解決するための手段】
本発明は、容器に通じる開口を有しその口部に固定保持されるベースキャップと、ベースキャップの開口を通して流出させた内容物を染み込ませてそれを直接塗布面に接触させて内容物を塗布する塗布ヘッドと、この塗布ヘッドに覆い被さり、ベースキャップに着脱自在に係合保持されるカバーキャップとを有する塗布栓であって、
前記ベースキャップに、ベースキャップの開口につながる経路を有し該ベースキャップ上での回動にて該経路の開閉を行う塗布ヘッド保持用の中栓を配置し、この中栓に、経路につながりその底壁面の少なくとも二箇所より内容物を分散、流出させて塗布ヘッドの全域に内容物をまんべんなく送給する流出口を設け、
前記ベースキャップ、塗布ヘッド及び中栓は、楕円状の平面形状になることを特徴とする塗布栓である。
【０００７】
上記の構成になる塗布栓においては、経路の開閉状態を表示する表示手段を設けることができる。
【０００８】
また、経路の開閉時に、中栓のベースキャップに対する位置決めを行うストッパーを設けるのが望ましい。
【０００９】
【発明の実施の形態】
以下、図面を用いて本発明をより具体的に説明する。
【００１０】
図１〜４は本発明に従う塗布栓の実施の形態を示したものであり、図１は正面図（一部断面で表示）、図２は側面図（中心線から右側半分を断面で表示）、図３は平面図、そして図４は外観斜視図である。
【００１１】
図１〜４において１は内容物を収納する楕円状（あるいはトラック状）の平面形状を有する偏平容器、２は容器１の口部１ａに固定保持されるベースキャップである。このベースキャップ２は容器内に通じる開口２ａと縦溝ｔを有する筒状体２ｂが設けられている。
【００１２】
また、３はフェルトやスポンジあるいは焼結体にて構成することができる塗布ヘッド、４は塗布ヘッド３に覆い被さりベースキャップ２にアンダーカットの如きにて着脱自在に係合保持されるカバーキャップ、５はベースキャップ２に回動可能に嵌合保持される塗布ヘッド保持用の中栓である。
【００１３】
中栓５には内面に縦溝ｔ１を有しベースキャップ２の筒状体２ｂと液密状態で摺動可能に嵌合する環状体５ａと、この環状体５ａの内部空間につながりその底壁面の二箇所から内容物を分散、流出させて塗布ヘッド３に内容物を送給する流出口５ｂが設けられている。
【００１４】
図５に中栓５からの内容物の流出方向を示し、図６にベースキャップ２と中栓５の分解斜視図（一部断面で表示）を示す。
【００１５】
本発明に従う塗布栓は、ベースキャップ２、中栓５、塗布ヘッド３及びカバーキャップ４にて構成されるものであって、その何れもが容器１の平面形状とほぼ同じ楕円状の平面形状になっていて、一回の塗布で広範囲にわたって内容物を塗布することが可能であり、しかも、容器１も塗布栓に合わせて偏平にできるので鞄やポケットの中に入れておいてもかさばらず容器を携帯する場合にも不都合がない。
【００１６】
上掲図１に示したところでは、ベースキャップ２の筒状体２ｂと中栓５の環状体５ａが液密状態に嵌合して経路ｒは閉鎖されているため、容器１を反転しても内容物が流出口５ｂから流出することがなく、カバーキャップ４をねじ止め式にして該カバーキャップ４によって液漏れの防止対策を施す必要は全くない。
【００１７】
一方、中栓５を図３の仮想線にて表示したようにベースキャップ２の嵌合保持部にて容器１の口部１ａの周りに沿うように回動させて筒状体２ｂの縦溝ｔと環状体５ａの縦溝ｔ１を合致させる（この場合１８０°回動させて合致させる例として示してある）と図７に示すように経路ｒが開通して内容物の排出が可能になる。
【００１８】
本発明では、塗布栓の経路ｒが開通状態にあるか、閉鎖状態にあるかを目視で確認することができるように、図３に示すように、ベースキャップ２及び中栓５にそれぞれ刻印の如き表示手段６を設けてもよい。
【００１９】
また、図示はしないが、中栓５の回動に際して該中栓５とベースキャップ２とが摺動するそれぞれの部位に単一のリブ（あるいは凸部）とこのリブを挟み込む２つのリブ（あるいは２つの凸部）を設けて、経路ｒの開通状態及び閉塞状態において中栓５をベースキャップ２に係止して確実な位置決めを行うストッパーを設けることもできる。
【００２０】
図８〜１３は、中栓５につき、その底壁面で開放する流出口５ｂを四箇所設け、対向配置になる流出口５ｂ同士を、同じく中栓５の底壁面に設けた液誘導溝部７にてつないだ構造になる本発明の他の実施の形態を示したものである。このような液誘導溝部７を設けることで、塗布ヘッド３の全域に短時間で内容物を染み込ませることができる。液誘導溝部７は図示の形状に限られるものではなく、例えば中栓５の長径方向に延長させることもできるし、あるいはさらに分岐させた溝とすることも可能であり、その形状に関しては必要に応じて適宜に変更し得る。
【００２１】
上掲図１〜図１３では、中栓５を１８０°回動させることで経路ｒの開通と閉鎖する場合を例として示したが、その角度は任意に設定できるものであり、本発明ではとくに限定されない。また、塗布栓の平面形状は、楕円状のものを示したが矩形状のものやこれに類するものが適用できる。
【００２２】
【発明の効果】
本発明によれば、一回の動作で広範囲にわたって内容物を塗布できるし、平面形状が楕円状なので容器自体も薄型にできるので把持しやすく使い勝手がよいばかりか、携帯性にも優れる。
【図面の簡単な説明】
【図１】本発明に従う塗布栓の正面を示した図である。
【図２】図１の側面図である。
【図３】図１の平面図である。
【図４】図１に示した塗布栓の外観斜視図である。
【図５】内容物の流出方向を示した図である。
【図６】図１に示したベースキャップと中栓のみを取り出して示した外観斜視図（一部断面で表示）である。
【図７】経路の開通状態を示した図である。
【図８】本発明に従う塗布栓の他の実施の形態をその正面で示した図である。
【図９】図８の側面図である。
【図１０】図８の平面図である。
【図１１】内容物の流出方向を示した図である。
【図１２】図８に示した塗布栓のベースキャップと中栓のみを取り出して示した外観斜視図（一部断面で表示）である。
【図１３】経路の開通状態を示した図である。
【符号の説明】
１    偏平容器
１ａ  口部
２    ベースキャップ
２ａ  開口
２ｂ  筒状体
３    塗布ヘッド
４    カバーキャップ
５    中栓
５ａ  環状体
５ｂ  流出口
６    表示手段
７    液誘導溝部
ｔ    縦溝
ｔ１   縦溝
ｒ    経路
【図１】
2004168391.tif 000003
【図２】
2004168391.tif 000004
【図３】
2004168391.tif 000005
【図４】
2004168391.tif 000006
【図５】
2004168391.tif 000007
【図６】
2004168391.tif 000008
【図７】
2004168391.tif 000009
【図８】
2004168391.tif 000010
【図９】
2004168391.tif 000011
【図１０】
2004168391.tif 000012
【図１１】
2004168391.tif 000013
【図１２】
2004168391.tif 000014
【図１３】
2004168391.tif 000015